(57)【要約】【課題】合成構造体を効率よく構築することができる技術を提供する。【解決手段】梁Ｈと梁Ｈとの間に架け渡されたデッキプレートと梁Ｈとの間に形成される開口部を閉鎖する閉鎖コネクタ１であって、開口部を閉鎖する閉鎖部１０と、閉鎖部１０に一体に形成されデッキプレートの上端部に接触する押圧部２０と、押圧部２０に一体に形成され押圧部２０に対してデッキプレートとは反対の側に突き出て、デッキプレートに打設されるコンクリート材と係合する係合部３０と、を備えることを特徴とする。【選択図】図２
2020153089.tif 000002
【特許請求の範囲】
【請求項１】
梁と梁との間に架け渡されたデッキプレートと前記梁との間に形成される開口部を閉鎖する閉鎖コネクタであって、
前記開口部を閉鎖する閉鎖部と、
前記閉鎖部に一体に形成され前記デッキプレートの上端部に接触する押圧部と、
前記押圧部に一体に形成され前記押圧部に対して前記デッキプレートとは反対の側に突き出て、前記デッキプレートに打設されるコンクリート材と係合する係合部と、
を備えることを特徴とする閉鎖コネクタ。
【請求項２】
前記係合部は、少なくとも１つの開口を有することを特徴とする請求項１に記載の閉鎖コネクタ。
【請求項３】
前記係合部は、自由端部において延び方向を変向するように折り曲げられた折曲げ部位を有することを特徴とする請求項１又は２に記載の閉鎖コネクタ。
【請求項４】
前記閉鎖部は、
前記デッキプレートの長手方向に沿った方向に延び、前記開口部を閉鎖する場合に前記デッキプレートと接触する一対の接触片を有する
ことを特徴とする請求項１から３までのいずれか一項に記載の閉鎖コネクタ。
【請求項５】
前記閉鎖部に一体に形成され前記梁に係止される係止部を備えることを特徴とする請求項１から４までのいずれか一項に記載の閉鎖コネクタ。
【請求項６】
前記係止部は、
前記梁に載置される載置部位と、
前記載置部位が載置される側とは反対の側から前記梁を押さえる押さえ部位と、
を有することを特徴とする請求項５に記載の閉鎖コネクタ。
【請求項７】
前記押さえ部位は、前記載置部位に対して弾性変形自在であることを特徴とする請求項６に記載の閉鎖コネクタ。
【請求項８】
梁と梁との間に架け渡されたデッキプレートと前記梁との間に形成される開口部を閉鎖する閉鎖部と、前記閉鎖部に一体に形成され前記閉鎖部に対して前記梁とは反対の側に突き出て、前記デッキプレートに打設されるコンクリート材と係合する係合部と、を有する少なくとも２つの閉鎖コネクタと、
前記少なくとも２つの閉鎖コネクタを連結する連結部材と、
を備える
ことを特徴とする閉鎖コネクタ複合体。
【請求項９】
梁と梁との間に架け渡されるデッキプレートと、
前記デッキプレート上に設けられたコンクリート構造部と、
前記デッキプレートと前記梁との間に形成される開口部を閉鎖する複数の閉鎖コネクタと、
を備える合成構造体であって、
前記閉鎖コネクタは、
前記開口部を閉鎖する閉鎖部と、
前記閉鎖部に一体に形成され前記閉鎖部に対して前記梁とは反対の側に突き出て、前記デッキプレートに打設されるコンクリート材と係合する係合部と、
を有することを特徴とする合成構造体。
【請求項１０】
梁と梁との間に架け渡されるデッキプレートと、
前記デッキプレート上に設けられたコンクリート構造部と、
前記デッキプレートと前記梁との間に形成される開口部を閉鎖する閉鎖部、及び前記閉鎖部に一体に形成され前記閉鎖部に対して前記梁とは反対の側に突き出て、前記デッキプレートに打設されるコンクリート材と係合する係合部を有する閉鎖コネクタと、
を備える合成構造体の構築方法であって、
前記閉鎖コネクタを前記梁に取り付ける工程と、
前記閉鎖コネクタの閉鎖部によって前記開口部が閉鎖されるように前記デッキプレートを前記梁間に架け渡す工程と、
前記デッキプレート上にコンクリート材を打設する工程と、
を備えることを特徴とする合成構造体の構築方法。
【発明の詳細な説明】
【技術分野】
【０００１】
本発明は、閉鎖コネクタ、閉鎖コネクタ複合体、合成構造体及び合成構造体の構築方法に関する。
【背景技術】
【０００２】
近年、Ｈ形鋼により形成された梁の上に、デッキプレートを配置しコンクリートを打設して合成スラブである合成構造体を構築する工法が普及している。合成構造体を構築する場合、梁と梁との間にデッキプレートを敷き込み、デッキプレートを梁に溶接等により仮止めをする。次いで、デッキプレートと梁との間に形成された小口を閉鎖部材（クローサ）により閉鎖した後、配筋工事を行い、その後、コンクリート材を打設する（例えば、特許文献１参照。）。
【先行技術文献】
【特許文献】
【０００３】
【特許文献１】特開２０１８−８７４３５号公報
【発明の概要】
【発明が解決しようとする課題】
【０００４】
合成構造体を構築する工法を実施する際には、コンクリート材の打設作業時に、デッキプレートとこのデッキプレートの両端部が載置された梁との間に形成される小口からコンクリート材が流出することを防止するために小口を塞ぐことが必要になる。
【０００５】
また、梁とコンクリート材との接合性を向上させるために頭付きスタッドを梁に溶接する作業が必要になることがある。これにより、デッキプレートの敷き込みからコンクリート材の打設まで、合成構造体を構築する一連の作業工程には異なる業者によって行われる工程が存在していた。つまり、合成構造体の構築作業においては、専門業種が異なる作業工程が発生しており、合成構造体の施工を合理化したいという需要があった。
【０００６】
そこで、本発明は、上記課題に基づいてなされたものであり、合成構造体を効率よく構築することができる技術を提供することを目的とする。
【課題を解決するための手段】
【０００７】
上記課題を解決するために、本発明は、梁と梁との間に架け渡されたデッキプレートと前記梁との間に形成される開口部を閉鎖する閉鎖コネクタであって、前記開口部を閉鎖する閉鎖部と、前記閉鎖部に一体に形成され前記デッキプレートの上端部に接触する押圧部と、前記押圧部に一体に形成され押圧部に対して前記デッキプレートとは反対の側に突き出て、前記デッキプレートに打設されるコンクリート材と係合する係合部と、を備えることを特徴とする。
【０００８】
また、前記係合部は、少なくとも１つの開口を有していてもよい。
【０００９】
また、前記係合部は、自由端部において延び方向を変向するように折り曲げられた折曲げ部位を有していてもよい。
【００１０】
また、前記閉鎖部は、前記デッキプレートの長手方向に沿った方向に延び、前記開口部を閉鎖する場合に前記デッキプレートと接触する一対の接触片を有していてもよい。
【００１１】
また、前記閉鎖部に一体に形成され前記梁に係止される係止部を備えていてもよい。
【００１２】
また、前記係止部は、前記梁に載置される載置部位と、前記載置部位が載置される側とは反対の側から前記梁を押さえる押さえ部位と、を有していてもよい。
【００１３】
前記押さえ部位は、前記載置部位に対して弾性変形自在であってもよい。
【００１４】
さらに、上記課題を解決するために、本発明に係る閉鎖コネクタ複合体は、梁と梁との間に架け渡されたデッキプレートと前記梁との間に形成される開口部を閉鎖する閉鎖部と、前記閉鎖部に一体に形成され前記閉鎖部に対して前記梁とは反対の側に突き出て、前記デッキプレートに打設されるコンクリート材と係合する係合部と、を有する少なくとも２つの閉鎖コネクタと、前記少なくとも２つの閉鎖コネクタを連結する連結部材と、を備えることを特徴とする。
【００１５】
さらに、上記課題を解決するために、本発明は、梁と梁との間に架け渡されるデッキプレートと、前記デッキプレート上に設けられたコンクリート構造部と、前記デッキプレートと前記梁との間に形成される開口部を閉鎖する複数の閉鎖コネクタと、を備える合成構造体であって、前記閉鎖コネクタは、前記開口部を閉鎖する閉鎖部と、前記閉鎖部に一体に形成され前記閉鎖部に対して前記梁とは反対の側に突き出て、前記デッキプレートに打設されるコンクリート材と係合する係合部と、を有することを特徴とする。
【００１６】
さらに、上記課題を解決するために、本発明は、梁と梁との間に架け渡されるデッキプレートと、前記デッキプレート上に設けられたコンクリート構造部と、前記デッキプレートと前記梁との間に形成される開口部を閉鎖する閉鎖部と、前記閉鎖部に一体に形成され前記閉鎖部に対して前記梁とは反対の側に突き出て、前記デッキプレートに打設されるコンクリート材と係合する係合部と、を有する閉鎖コネクタと、を備える合成構造体の構築方法であって、前記閉鎖コネクタを前記梁に取り付ける工程と、前記閉鎖コネクタの閉鎖部によって前記開口部が閉鎖されるように前記デッキプレートを前記梁間に架け渡す工程と、前記デッキプレート上にコンクリート材を打設する工程と、を備えることを特徴とする。
【発明の効果】
【００１７】
本発明によれば、合成構造体を効率よく構築することができる。
【図面の簡単な説明】
【００１８】
【図１】本発明の実施の形態に係る合成スラブ構造を一部断面にして示す斜視図である。
【図２】本発明に係る閉鎖コネクタの斜視図である。
【図３】本発明に係る閉鎖コネクタを梁のフランジに取り付ける工程を示す概略図である。
【図４】デッキプレートを梁に架け渡す工程を示す概略図である。
【図５】デッキプレート上に鉄筋を設置する工程を示す概略図である。
【図６】コンクリート材をデッキプレート上に打設する打設工程を示す概略図である。
【図７】閉鎖コネクタ複合体の斜視図である。
【図８】変形例に係る閉鎖コネクタの斜視図である。
【図９】従来の合成スラブ構造の構築工程を説明するための概略図である。
【発明を実施するための形態】
【００１９】
以下に、本発明の実施の形態について、図面を参照しながら説明する。
【００２０】
本発明に係る閉鎖コネクタは、合成スラブ構造（合成構造体）の構築時に、梁とデッキプレートとの間からコンクリートが流出することを防ぐものであり、合成スラブ構造におけるデッキプレートに適用される。本発明に係る閉鎖コネクタが適用されるデッキプレートは、公知のデッキプレートであり、特定のデッキプレートに限定されない。例えば、本発明の実施の形態に係る閉鎖コネクタ１は、図１に示す合成スラブ構造１００におけるデッキプレート１１０に適用される。
【００２１】
なお、合成スラブ構造１００のデッキプレート１１０が架け渡される梁Ｈは、Ｈ形鋼により形成されており、一対のフランジＨ１（一方のフランジのみ示す。）とウェブＨ２とを有する。ウェブＨ２は、一対のフランジＨ１を連結するように一対のフランジＨ１間に設けられている。一対のフランジＨ１は、それぞれ主面が水平方向に平行になるよう配置されている。梁Ｈの上側のフランジＨ１にデッキプレート１１０が載置されている。また、梁Ｈは、閉鎖コネクタ１が設置できればＨ形鋼に限定されず、他の形鋼や、形鋼以外のビルトＨ材、ラチス材及びトラス材等、鋼製梁であれば形状や成形方法は限定されない。
【００２２】
図１は、本発明の実施の形態に係る合成スラブ構造１００を一部断面にして示す斜視図である。合成スラブ構造１００は、梁Ｈと梁Ｈとの間に架け渡されたデッキプレート１１０がコンクリート構造部１２０と一体化して、引張り鉄筋の働きをする床構造である。
【００２３】
合成スラブ構造１００は、デッキプレート１１０と、コンクリート構造部１２０と、配筋部１３０と、を備える。デッキプレート１１０は、薄鋼板により形成されている。デッキプレート１１０は、長手方向（延び方向）における両端部において梁Ｈに架け渡されている。デッキプレート１１０は、複数の平坦部１１１と、複数の起伏部１１２と、を有する。デッキプレート１１０の長手方向に交差する幅方向において、平坦部１１１と起伏部１１２とが交互に配置されている。
【００２４】
デッキプレート１１０は、平坦部１１１において梁ＨのフランジＨ１に載置されている。起伏部１１２は、２つの傾斜面部１１３と１つの上端面部（上端部）１１４とを有する。傾斜面部１１３は、デッキプレート１１０がフランジＨ１に載置された状態において、隣接する平坦部１１１から互いに接近するように斜め上方に延びている。上端面部１１４は、傾斜面部１１３の上端同士を連結している。デッキプレート１１０がフランジＨ１に載置された状態において、デッキプレート１１０の起伏部１１２と梁ＨのフランジＨ１との間には小口（開口部）２００が形成される。小口２００は、略台形状をなしている。
【００２５】
コンクリート構造部１２０は、デッキプレート１１０上に設けられている。コンクリート構造部１２０は、コンクリート材をデッキプレート１１０上に打設することにより形成されたコンクリート層である。コンクリート構造部１２０は、建築構造物において床構造部、天井構造部、屋根構造部又は壁構造部として機能する。
【００２６】
配筋部１３０は、コンクリート構造部１２０内に設けられている。配筋部１３０は、複数の鉄筋１３１を有する。複数の鉄筋１３１同士は、格子状に組み合わされている。配筋部１３０は、デッキプレート１１０に対して所定の間隔をあけて設けられている。なお、鉄筋１３１は、溶接金網であってもよい。
【００２７】
本発明に係る閉鎖コネクタ１は、以上のような合成スラブ構造１００におけるデッキプレート１１０に適用される。閉鎖コネクタ１は、梁ＨのフランジＨ１間に架け渡されたデッキプレート１１０の両端部に形成された小口２００を防ぐ。閉鎖コネクタ１は、梁Ｈに係止されており、コンクリート打設時に、コンクリート材が小口２００から流出しないように小口２００を塞ぐ。閉鎖コネクタ１は、梁Ｈと梁Ｈとの間に架け渡されたデッキプレート１１０と梁Ｈとの間に形成される小口２００を閉鎖する。閉鎖コネクタ１は、小口２００を閉鎖する閉鎖部１０と、閉鎖部１０に一体に形成されデッキプレート１１０の上端面部１１４に接触する押圧部２０と、押圧部２０に一体に形成され押圧部２０に対してデッキプレート１１０とは反対の側に突き出て、デッキプレート１１０に打設されるコンクリート材と係合する係合部３０と、を備える。以下、閉鎖コネクタ１の構成について具体的に説明する。
【００２８】
図２は、本発明に係る閉鎖コネクタ１の斜視図である。なお、説明の便宜上、図面において、閉鎖コネクタ１が梁Ｈに取り付けられた状態を基準として、梁Ｈの延び方向に沿った方向を閉鎖コネクタ１の幅方向Ｗとする。また、梁Ｈの延び方向に交差する方向を閉鎖コネクタ１の前後方向ＦＢとし、前後方向ＦＢにおいて、閉鎖する小口２００を形成するデッキプレート１１０を向く側を前側Ｆとし、このデッキプレート１１０とは反対の側を後側Ｂとする。また、ウェブＨ２が延びる方向を上下方向ＵＤとし、デッキプレート１１０が載置されるフランジＨ１が面する側を上側Ｕとし、他のフランジＨ１が面する側を下側Ｄとする。
【００２９】
閉鎖コネクタ１は、鋼板等により形成されており、閉鎖部１０と、押圧部２０と、係合部３０と、係止部４０と、を有する。閉鎖コネクタ１において、閉鎖部１０、押圧部２０、係合部３０及び係止部４０は、一体に形成されている。閉鎖部１０、押圧部２０、係合部３０及び係止部４０は、便宜上、それぞれの機能に基づいて区分したものであり、実際には連続して形成されている。
【００３０】
閉鎖部１０は、小口２００を閉鎖する。閉鎖部１０は、小口２００に対応する形状を有し、本実施の形態においては、略台形状に形成されている。閉鎖部１０は、上側Ｕに面する上端縁部１１と、下側Ｄに面する下端縁部１２と、幅方向Ｗに面する一対の側端縁部１３と、を有する。閉鎖部１０は、上端縁部１１と、下端縁部１２と、一対の側端縁部１３とによって画定された領域において小口２００を閉鎖する。
【００３１】
上端縁部１１及び下端縁部１２は、幅方向Ｗに沿って延びている。一対の側端縁部１３はそれぞれ、上端縁部１１と下端縁部１２との間を上下方向ＵＤに延びている。一対の側端縁部１３は、下端縁部１２から上端縁部１１に向かって互いに接近するように延びている。
【００３２】
閉鎖部１０は、一対の接触片１４を有する（一方の接触片１４のみ図示。）。接触片１４は、閉鎖部１０に対して立設している。接触片１４は、閉鎖コネクタ１が小口２００を閉鎖する場合にデッキプレート１１０と接触する。具体的に接触片１４は、起伏部１１２の一対の傾斜面部１１３の互いに向かい合う面（以下、「内面」ともいう。）に接触する。接触片１４は、上下方向ＵＤにおいて閉鎖部１０の側端縁部１３に沿って延び、側端縁部１３から前側Ｆに向かって延びている。接触片１４は、側端縁部１３において閉鎖部１０に対して幅方向Ｗに弾性的に回動自在になっている。これにより、接触片１４は、デッキプレート１１０の起伏部１１２における傾斜面部１１３の内面に弾性的に接触する。
【００３３】
押圧部２０は、閉鎖部１０と上端縁部１１において一体に形成されている。押圧部２０は、閉鎖部１０に対して略直角をなして前側Ｆに延びている。押圧部２０は、閉鎖部１０に対して弾性的に回動自在になっている。この場合、押圧部２０の回動を拘束する固定機構が必要に応じて設けられていてもよい。
【００３４】
押圧部２０は、閉鎖コネクタ１が小口２００を閉鎖した場合、デッキプレート１１０の上端面部１１４に上側Ｕから接触しており、デッキプレート１１０を上端面部１１４においてフランジＨ１に向かって下側Ｄに押し付けている。なお、接触片１４と押圧部２０との間には、デッキプレート１１０の上端面部１１４が進入できる程度の隙間が設けられている。
【００３５】
係合部３０は、閉鎖部１０に対して梁Ｈとは反対の側（上側Ｕ）に突き出て、コンクリート構造部１２０と係合する。係合部３０は、閉鎖部１０に連結されている側とは反対側（前側Ｆ）の押圧部２０の端部から略直角をなして上側Ｕに延びている。係合部３０は、開口３１を有している。開口３１は、閉鎖コネクタ１の厚さ方向（前後方向ＦＢ）に貫通して形成されている。本実施の形態において、係合部３０には略矩形状の１つの開口３１が形成されているが、開口３１の形状はこれに限定されず、円形、楕円形であってもよく、また、複数の開口３１が設けられていてもよい。コンクリート材を打設した場合、コンクリート材は開口３１を通じて流れる。これにより、閉鎖コネクタ１は、係合部３０においてコンクリート材と係合する。
【００３６】
係止部４０は、閉鎖部１０と下端縁部１２において一体に形成されている。閉鎖コネクタ１は、係止部４０において梁ＨのフランジＨ１に前側Ｆから引っ掛けられて、梁Ｈに係止される。なお、閉鎖部１０は、係止部４０に対して前後方向ＦＢに弾性的に回動自在になっている。この場合、閉鎖部１０の回動を拘束する固定機構（図示せず。）が必要に応じて設けられていてもよい。
【００３７】
係止部４０は、載置部位４１と、押さえ部位４２とを有する。閉鎖コネクタ１は、載置部位４１においてフランジＨ１に載置される。載置部位４１は、閉鎖部１０の下端縁部１２から連続的に前側Ｆに延びている。載置部位４１の先端部４３は、前後方向ＦＢにおいて、係合部３０が連結されている押圧部２０の端部よりも、閉鎖部１０から離れた側、つまり前側Ｆに延びている。載置部位４１の先端部４３は、フランジＨ１の略厚さ分だけ下側Ｄに折り曲げられている。
【００３８】
押さえ部位４２は、載置部位４１が載置されるフランジＨ１の上側Ｕを面する面とは反対の側の下側ＤからフランジＨ１を押さえる。押さえ部位４２は、載置部位４１の先端部４３から閉鎖部１０の側（後側Ｂ）に延びている。押さえ部位４２の後側Ｂの先端部４４は、閉鎖部１０を後側Ｂに超えて延びている。押さえ部位４２は、載置部位４１の先端部４３において上下方向ＵＤに弾性的に回動自在である。この場合、押さえ部位４２の回動を拘束する固定機構（図示せず）が必要に応じて設けられていてもよい。閉鎖コネクタ１が梁ＨのフランジＨ１に取り付けられない状態において、押さえ部位４２は、載置部位４１の先端部４３から後側Ｂに向かうに連れて載置部位４１に接近するようになっている。
【００３９】
次に、合成スラブ構造１００の構築方法について説明する。なお、以下に説明する構築方法は、合成スラブ１００を構築する方法の一例である。図３は、閉鎖コネクタ１を梁ＨのフランジＨ１に取り付ける取付け工程を示す概略図である。図４は、デッキプレート１１０を梁Ｈに架け渡す架渡し工程を示す概略図である。図５は、デッキプレート１１０上に鉄筋１３１を設置する配筋工程を示す概略図である。図６は、コンクリート材をデッキプレート１１０上に打設する打設工程を示す概略図である。
【００４０】
まず、閉鎖コネクタ１を梁ＨにフランジＨ１において係止する（取付け工程）。具体的には、閉鎖コネクタ１を、架け渡されるデッキプレート１１０の起伏部１１２が配置されるフランジＨ１の位置に取り付ける。閉鎖コネクタ１を梁ＨのフランジＨ１に取り付ける場合、押さえ部位４２の先端部４４を載置部位４１に対して拡開して、載置部位４１と押さえ部位４２との間でフランジＨ１を挟むようにして、閉鎖コネクタ１を取り付ける（図３参照。）。
【００４１】
次いで、閉鎖コネクタ１の閉鎖部１０によって小口２００が閉鎖されるようにデッキプレート１１０を梁Ｈの間に架け渡す（架渡し工程）。まず、デッキプレート１１０の延び方向における一方の端部を閉鎖コネクタ１に対して斜め上方より接近させる。デッキプレート１１０の一方の端部において起伏部１１２を閉鎖部１０に対向させるようにして、デッキプレート１１０の他方の端部を下げる（図４参照。）。この状態において閉鎖部１０の接触片１４は、デッキプレート１１０の起伏部１１２の傾斜面部１１３の内側に入り込んで、傾斜面部１１３の内面に接触する。接触片１４は、幅方向Ｗに弾性的に回動自在であるので傾斜面部１１３の内面に確実に接触する。
【００４２】
デッキプレート１１０は、他方の端部において閉鎖コネクタ１の係合部３０に接触しながら閉鎖部１０に接近する。閉鎖部１０は、前後方向ＦＢにおいてデッキプレート１１０から離れる方向に後側Ｂに弾性的に回動する。デッキプレート１１０を他方の端部においてフランジＨ１に載置することにより、閉鎖部１０は、弾性的に元の状態に戻り、デッキプレート１１０の他方の端部において起伏部１１２は、閉鎖コネクタ１に対向した状態になる。この状態において、デッキプレート１１０の両端部における小口２００は、閉鎖コネクタ１の閉鎖部１０によって閉鎖される。この状態において、押圧部２０は、デッキプレート１１０を上端面部１１４においてフランジＨ１の側に向かって押さえ付けている。
【００４３】
次いで、係合部３０上に鉄筋１３１を配置して鉄筋１３１を格子状に組んだ配筋部１３０を設置する（配筋工程、図５参照。）。配筋工程終了後、デッキプレート１１０上にコンクリート材を打設してコンクリート構造部１２０を形成する（打設工程、図６参照。）。これにより、合成スラブ構造１００の構築工程は終了する。
【００４４】
以上の構成を有する閉鎖コネクタ１によれば、従来、異なる作業工程において実施されてきた幾つかの作業を一の作業にまとめることができ、合成スラブ構造１００を効率よく構築することができる。
【００４５】
従来の合成スラブ構造２００の構築方法は、図９に示すように、複数の工程（第１〜第７工程）を有していた。図９は、従来の合成スラブ構造の構築工程を説明するための概略図である。図９（ａ）は梁Ｈと梁Ｈとの間に架け渡す架渡し工程（第１工程）を示す。図９（ｂ）は架け渡したデッキプレート１１０を平坦部１１１において梁Ｈに対して溶接して仮止めする仮止め工程（第２工程）を示す。図９（ｃ）は閉鎖カバーによって小口２００を塞ぐ小口塞ぎ工程（第３工程）を示す。図９（ｄ）は梁Ｈとコンクリート構造部１２０とを接合させるために、複数の頭付きスタッドＳを梁Ｈに溶接する溶接工堤（第４工程）を示す。さらに、図示されていないが、デッキプレート１１０上にスペーサを配置する配置工程（第５工程）及びデッキプレート１１０上で鉄筋１３１を格子状に組む配筋工程（第６工程）と、コンクリート材をデッキプレート１１０上に打設する打設工程（第７工程）とがある。
【００４６】
従来、合成スラブ構造におけるデッキプレート１１０と梁Ｈとの仮止めは、溶接により行われており（第２工程）、また、コンクリート構造部１２０と梁Ｈとの一体化を目的として複数の頭付きスタッドを梁Ｈに長手方向に沿って溶接しなければならなかった（第４工程）。これに対して、閉鎖コネクタ１を用いれば、少なくとも仮止めと頭付きスタッドの溶接作業を大幅に減らすことができる。
【００４７】
本発明に係る閉鎖コネクタ１は、閉鎖部１０と押圧部２０と係合部３０とを一体に有しているので、閉鎖コネクタ１を用いて合成スラブ構造１００を構築する場合、閉鎖コネクタ１により複数の機能が提供される。具体的には、閉鎖部１０による小口２００の閉鎖機能に加えて、押圧部２０による梁Ｈに対するデッキプレート１１０の仮止め機能が提供される。押圧部２０により、デッキプレート１１０は、起伏部１１２の上端面部１１４において梁Ｈに向かって下側Ｄに押し付けられている。
【００４８】
また、本発明１に係る閉鎖コネクタ１の係合部３０は、開口３１を有しているのでコンクリート材との係合機能と共に、梁Ｈとデッキプレート１１０とコンクリート構造部１２０とを接合する機能及び配筋部１３０に対するスペーサ機能が提供される。本発明に係る閉鎖コネクタ１を用いれば、従来の構築方法における第２工程〜第５工程を、架渡し工程の一工程において実施することができる。
【００４９】
また、閉鎖コネクタ１の閉鎖部１０には接触片１４が設けられている。接触片１４は、閉鎖部１０による小口２００を閉鎖する際、閉鎖部１０に対するデッキプレート１１０を案内すると共に、小口２００の閉鎖時には、起伏部１１２の傾斜面部１１３における内面と弾性的に接触しているので、コンクリートの小口２００からの流出を確実に防ぐことができる。
【００５０】
また、閉鎖コネクタ１は、係止部４０を有しているので、簡単に梁ＨのフランジＨ１に取り付けられる。係止部４０の押さえ部位４２は、弾性的に回動自在であるので、クランプ作用により閉鎖コネクタ１を簡単かつ確実にフランジＨ１に固定することができる。
【００５１】
このように、本発明に係る閉鎖コネクタ１によれば、合成スラブ構造１００の構築時に、簡単に梁ＨのフランジＨ１に取り付けることができると共に、デッキプレート１１０の架渡し工程が終了した時点において、少なくとも、梁Ｈに対するデッキプレート１１０の仮止め、小口２００の閉鎖、梁Ｈとデッキプレート１１０との接合対策及び配筋部１３０の設置対策が完了したことになる。つまり、閉鎖コネクタ１により、合成スラブ構造１００の構築の効率を大幅に向上させることができる。
【００５２】
以上、本発明の好適な実施の形態について説明したが、本発明は上記の実施の形態に限定されるものではなく、本発明の概念及び特許請求の範囲に含まれるあらゆる態様を含む。また、上述した課題及び効果の少なくとも一部を奏するように、各構成を適宜選択的に組み合わせてもよい。例えば、上記実施の形態における各構成要素の形状、材料、配置、サイズ等は、本発明の具体的使用態様によって適宜変更されうる。
【００５３】
例えば、上記の実施の形態においては、閉鎖コネクタ１は、単独で用いられていたが、２つの閉鎖コネクタ１を有する閉鎖コネクタ複合体６を用いてもよい。図７は、閉鎖コネクタ複合体６の斜視図である。閉鎖コネクタ複合体６は、２つの閉鎖コネクタ１と、連結部材６１と、を有する。連結部材６１は、例えば、金属製の棒状部材である。連結部材６１は、各閉鎖コネクタ１を閉鎖部１０の側端縁部１３において連結している。連結部材６１は、閉鎖部１０と押圧部２０との境界部分に連結されているが、連結位置は特に限定されない。さらに、本実施の形態における閉鎖コネクタ複合体６は、２つの閉鎖コネクタ１を有していたが、３つ以上の閉鎖コネクタ１を有していてもよい。閉鎖コネクタ複合体６によれば、閉鎖コネクタ１と同等の効果を奏するだけでなく、一度の作業により複数の閉鎖コネクタ１を梁Ｈに係止することができ、作業効率がさらに向上する。
【００５４】
さらに、上記実施の形態において係合部３０は、開口３１を有していたが、他の構成によりコンクリート材との係合作用を図ってもよい。図８は、閉鎖コネクタ１の変形例に係る閉鎖コネクタ７の斜視図である。以下、閉鎖コネクタ７の閉鎖コネクタ１と異なる部分についてのみ説明し、閉鎖コネクタ１と同様の構成については同じ符号を付して説明を省略する。
【００５５】
閉鎖コネクタ７は、閉鎖部１０と、押圧部２０と、係合部５０と、係止部４０と、を有する。閉鎖コネクタ７は、閉鎖コネクタ１に対して係合部５０の構成が異なる。閉鎖コネクタ７の係合部５０は、折返し部位５１を有する。折返し部位５１は、押圧部２０とは反対側（上側Ｕ）の係合部５０の自由端部に設けられており、閉鎖部１０の側に折り返されている。折返し部位５１は、押圧部２０と略平行に延びている。折返し部位５１により、コンクリート構造部１２０との接合性が向上すると共に、折返し部位５１上に鉄筋１３１を載置することができる。なお、閉鎖コネクタ７において開口３１は、設けられていても、設けられていなくてもよい。
【００５６】
また、上記の実施の形態において、押圧部２０は、閉鎖部１０に対して弾性的に変形自在になっており、閉鎖部１０は、係止部４０に対して前後方向ＦＢに弾性的に変形自在になっており、押さえ部位４２は、載置部位４１の先端部４３において上下方向ＵＤに弾性的に変形自在になっていたが、閉鎖コネクタ１，７は、それ自体弾性的に変形しないようになっていてもよい。この場合であっても、閉鎖コネクタ１，７が固定された梁Ｈに対してデッキプレート１１０を架け渡して、閉鎖コネクタ１，７により小口２００を確実に閉鎖することができる。
【００５７】
また、上記の実施の形態において、押圧部２０は、デッキプレート１１０の上端面部１１４に接触しているだけであったが、例えば付加的に、閉鎖コネクタ１を押圧部２０において溶接してデッキプレート１１０に接合してもよい。
【００５８】
また、閉鎖コネクタ１は、上記実施の形態においては、係止部４０においてフランジＨ１を嵌め込まれているだけであったが、例えば付加的に、押さえ部位４２の側から溶接して閉鎖コネクタ１を梁ＨのフランジＨ１に接合してもよく、又はボルトにより梁ＨのフランジＨ１に接合してもよい。
【符号の説明】
【００５９】
１，７  閉鎖コネクタ、
１０  閉鎖部
１４  接触片
２０  押圧部
３０  係合部
３１  開口
４０  係止部
４１  載置部位
４２  押さえ部位
５０  係合部
５１  折返し部位
６  閉鎖コネクタ複合体
６１  連結部材
１００  合成スラブ構造（合成構造体）
１１０  デッキプレート
１２０  コンクリート構造部
１３０  配筋部
【図１】
2020153089.tif 000003
【図２】
2020153089.tif 000004
【図３】
2020153089.tif 000005
【図４】
2020153089.tif 000006
【図５】
2020153089.tif 000007
【図６】
2020153089.tif 000008
【図７】
2020153089.tif 000009
【図８】
2020153089.tif 000010
【図９】
2020153089.tif 000011